(57)【特許請求の範囲】
【請求項１】
異なる振動周波数で作動する少なくとも２つの時計ムーブメントを形成する方法であって、
ａ）複数のムーブメントに対して共通の基部を設計するステップであって、前記共通の基部は各々のムーブメントにおいて香箱を脱進機に接続するための輪列を備える、前記設計するステップと、
ｂ）振動周波数ｆ１を有する調整装置と、この調整装置の振動を維持するための脱進機と、を備えた第１の組を準備するステップであって、前記脱進機はＮ１個の歯をもつがんぎ車を含む、前記第１の組を準備するステップと、
ｃ）振動周波数ｆ２を有する調整装置と、この調整装置の振動を維持するための脱進機と、を備えた第２の組を準備するステップであって、前記脱進機はＮ２個の歯をもつがんぎ車を含み、前記振動周波数ｆ１及びｆ２は異なるものであり、Ｎ１個の歯の数とＮ２個の歯の数は異なるものであり、Ｎ１とｆ１との間の比は、Ｎ２とｆ２との間の比と実質的に等しい、前記第２の組を準備するステップと、
ｄ）第１のムーブメントが前記設計するステップ（ａ）により設計された第１の基部と前記第１の組とを有するように前記第１のムーブメントを製造するステップと、
ｅ）第２のムーブメントが前記設計するステップ（ａ）により設計された第２の基部と前記第２の組とを有するように前記第２のムーブメントを製造するステップと、を備えることを特徴とする方法。
【請求項２】
前記第１の組及び前記第２の組の各々の前記脱進機は、前記がんぎ車と前記調整装置との間に位置決めされたアンクルを備え、前記第１のムーブメントにおける前記がんぎ車の回転中心と前記アンクルの回転中心との間の第１の距離は、前記第２のムーブメントにおける前記がんぎ車の回転中心と前記アンクルの回転中心との間の第２の距離とほぼ同じであり、前記第１のムーブメントにおける前記アンクルの回転中心と前記調整装置の回転中心との間の第３の距離は、前記第２のムーブメントにおける前記アンクルの回転中心と前記調整装置の回転中心との間の第４の距離とほぼ同じである、請求項１に記載の方法。
【請求項３】
前記第１のムーブメント及び前記第２のムーブメントは、これらの前記脱進機及びこれらの前記調整装置以外はほぼ同一であるように形成されている、請求項１又は２に記載の方法。
【請求項４】
ｆ１及びｆ２がヘルツで測定され、Ｎ１とｆ１との間の比、及びＮ２とｆ２との間の比は、ほぼ５に等しい、請求項１乃至３の何れか１項に記載の方法。
【請求項５】
前記振動周波数ｆ１及びｆ２の少なくとも一方は、約５Ｈｚと少なくとも等しい、請求項１乃至４の何れか１項に記載の方法。
【請求項６】
前記振動周波数ｆ１及びｆ２の少なくとも一方は、約６Ｈｚと少なくとも等しい、請求項１乃至４の何れか１項に記載の方法。
【請求項７】
前記振動周波数ｆ１及びｆ２の少なくとも一方は、約８Ｈｚと少なくとも等しい、請求項１乃至４の何れか１項に記載の方法。
【請求項８】
前記振動周波数ｆ１及びｆ２の少なくとも一方は、約１０Ｈｚと少なくとも等しい、請求項１乃至４の何れか１項に記載の方法。
【請求項９】
振動周波数ｆ１を有する第１の調整装置と、輪列と協働するＮ１個の歯をもつ第１のがんぎ車を含み且つ第１の調整装置の振動を維持するための第１の脱進機と、を含む時計ムーブメントの振動周波数を変更するための方法であって、前記第１の調整装置及び前記第１の脱進機は、振動周波数ｆ２を有する第２の調整装置及び第２の脱進機と置き換えられ、前記第２の脱進機は、Ｎ２個の歯をもつ第２のがんぎ車を含んでおり、前記周波数ｆ１及びｆ２は異なるものであり、Ｎ１とｆ１との間の比は、Ｎ２とｆ２との間の比と実質的に等しく、前記輪列は変更されないままであることを特徴とする方法。
【請求項１０】
前記第１の脱進機は、前記第１のがんぎ車と前記第１の調整装置との間に配置された第１のアンクルをさらに含み、前記第２の脱進機は、前記第２のがんぎ車と前記第２の調整装置との間に配置された第２のアンクルをさらに含み、前記第１のがんぎ車の回転中心と前記第１のアンクルの回転中心との間の距離は、前記第２のがんぎ車の回転中心と前記第２のアンクルの回転中心との間の距離と実質的に等しく、前記第１のアンクルの回転中心と前記第１の調整装置の回転中心との間の距離は、前記第２のアンクルの回転中心と前記第２の調整装置の回転中心との間の距離と実質的に等しいことを特徴とする請求項９に記載の方法。
【請求項１１】
前記時計ムーブメントにおいて、前記調整装置及び前記脱進機のみが変更されることを特徴とする請求項９又は請求項１０に記載の方法。
【請求項１２】
前記比は５に実質的に等しいことを特徴とする請求項９から請求項１１までのいずれか１項に記載の方法。
【請求項１３】
前記周波数ｆ1及びｆ２の少なくとも一方が、約５Ｈｚに少なくとも等しいことを特徴とする請求項９から請求項１２までのいずれか１項に記載の方法。
【請求項１４】
前記周波数ｆ1及びｆ２の少なくとも一方が、約６Ｈｚに少なくとも等しいことを特徴とする請求項９から請求項１２までのいずれか１項に記載の方法。
【請求項１５】
前記周波数ｆ1及びｆ２の少なくとも一方が、約８Ｈｚに少なくとも等しいことを特徴とする請求項９から請求項１２までのいずれか１項に記載の方法。
【請求項１６】
前記周波数ｆ1及びｆ２の少なくとも一方が、約１０Ｈｚに少なくとも等しいことを特徴とする請求項９から請求項１２までのいずれか１項に記載の方法。
【発明の詳細な説明】
【技術分野】
【０００１】
本発明は、機械式時計ムーブメントに関する。
【背景技術】
【０００２】
一般に、機械式時計ムーブメントは、特に、動力ばねを収容する香箱と、香箱により駆動される輪列と、ばねてんぷのような調整装置と、輪列と調整装置との間に設けられ、調整装置の振動を維持するための脱進機と、を含む。輪列の特定の車の軸は、指示針を支持する。脱進機は、輪列により駆動されるがんぎ車と、がんぎ車と調整装置との間に位置するアンクルのような要素と、を含む。
【０００３】
現在市場に存在する時計ムーブメントは、通常、４Ｈｚの周波数で振動する調整装置と、２０個の歯を有するがんぎ車とを有する。さらに、Ｚｅｎｉｔｈ  Ｅｌ  Ｐｒｉｍｅｒｏという商標で、調整装置が５Ｈｚの周波数で振動し、出願人が知るところでは、がんぎ車が２１個の歯を有するものが市販されている。
【発明の開示】
【発明が解決しようとする課題】
【０００４】
時計の分野においては、調整装置の周波数が高ければ高いほど、時間測定が正確になることが知られている。しかし、周波数の増加は、がんぎ車の回転角速度の増加を引き起こし、指示針が正しい速度で回るように、輪列の修正、より正確には、ギヤ比の修正が必要になる。がんぎ車の角回転速度の増加は、動力ばねがより速く解放されるようになるため、パワーリザーブを減少させるというさらに別の効果を有する。
本発明は、上述の欠点をもたない、高周波数で機能することができる時計ムーブメントを提案することを目的とする。
【課題を解決するための手段】
【０００５】
このために、振動周波数ｆ有する調整装置と、調整装置の振動を維持するための脱進機とを含み、脱進機は、Ｎ個の歯をもつがんぎ車を含み、周波数ｆは少なくとも約５Ｈｚに等しく、歯の数Ｎと周波数ｆとの比は、実質的に５に等しい時計ムーブメントが提供される。
【０００６】
周波数ｆは、少なくとも約６Ｈｚに等しいことが好ましく、少なくとも約８Ｈｚに等しいことがより好ましく、少なくとも約１０Ｈｚに等しいことがさらにより好ましい。
【０００７】
したがって、本発明においては、調整装置の周波数は、がんぎ車の歯の数Ｎと周波数ｆとの間の比を修正することなく増加され、この比は通常の価値を有する。したがって、がんぎ車の回転角速度は不変に維持され、輪列、より一般的には、調整装置及び脱進機以外のムーブメント全体は変更しないままになる。パワーリザーブもまた保持される。
【０００８】
上述と同じ目的のために、本発明は、また、少なくとも２つの時計ムーブメントを提供し、一方は、振動周波数ｆ１を有する調整装置と、調整装置の振動を維持するための脱進機とを含み、脱進機は、Ｎ１個の歯を有するがんぎ車を含んでおり、他方は、振動周波数ｆ２を有する調整装置と、調整装置の振動を維持するための脱進機とを含み、脱進機は、Ｎ２個の歯を有するがんぎ車を含み、歯の数Ｎ１及びＮ２は異なるものであり、周波数ｆ１及びｆ２は異なるものであり、Ｎ１とｆ１との間の比は、Ｎ２とｆ２との間の比と実質的に等しい。
【０００９】
両方のムーブメントは、典型的には、がんぎ車がそれぞれ協働するそれぞれの輪列をさらに含む。輪列は実質的に同一であることが有利である。
【００１０】
各々のムーブメントにおける脱進機は、典型的には、がんぎ車と調整装置との間に配置されるアンクルをさらに含む。がんぎ車の回転中心とアンクルの回転中心との間の距離は、両方のムーブメントにおいて実質的に同じであり、アンクルの回転中心と調整装置の回転中心との間の距離は、両方のムーブメントにおいて実質的に同じであることが有利である。このように、種々の要素を支持するプレート及びブリッジは、両方のムーブメントにおいて同じであってもよい。
【００１１】
両方のムーブメントは、さらに、脱進機及び調整装置以外は実質的に完全に同一であってもよい。
【００１２】
Ｎ１とｆ１との間、及び、Ｎ２とｆ２との間の前述の比は、典型的には、５に実質的に等しい。周波数ｆ１及びｆ２の少なくとも一方は、約５Ｈｚと少なくとも等しいことが好ましく、約６Ｈｚと少なくとも等しいことが好ましく、約８Ｈｚと少なくとも等しいことがより好ましく、約１０Ｈｚと少なくとも等しいことがさらにより好ましい。
【００１３】
本発明は、同じ設計を有する時計ムーブメントが異なる周波数で機能することができるように、異なり、且つ置き換え可能な調整装置及び脱進機の組を設計することを可能にすることが理解される。換言すると、共通の基部を多数のムーブメントに対して設計することができ、それら各々に対して、調整装置と脱進機の組を選択して、所望の周波数で動作するようにすることができる。
【００１４】
したがって、本発明は、また、時計ムーブメントの振動周波数を変更するための方法を提案し、時計ムーブメントは、振動周波数ｆ１を有する第１の調整装置と、第１の調整装置の振動を維持するための第１の脱進機とを含み、第１の脱進機は、Ｎ１個の歯を有する第１のがんぎ車を含んでおり、第１の調整装置及び第１の脱進機は、振動周波数ｆ２を有する第２の調整装置と第２の脱進機と置き換えられ、第２の脱進機は、Ｎ２個の歯を有する第２のがんぎ車を含んでおり、周波数ｆ１及びｆ２は異なっており、Ｎ１とｆ１との間の比は、Ｎ２とｆ２との間の比と実質的に等しい。
【００１５】
時計ムーブメントは、典型的には、第１のがんぎ車が協働する輪列をさらに含む。この輪列は、第１の調整装置及び第１の脱進機が第２の調整装置及び第２の脱進機と置き換えられた後で、第２のがんぎ車と協働するように、変更されないままでいることが有利である。
【００１６】
典型的には、第１の脱進機は、第１のがんぎ車と第１の調整装置との間に配置された第１のアンクルをさらに含み、第２の脱進機は、第２のがんぎ車と第２の調整装置との間に配置された第２のアンクルをさらに含む。第１のがんぎ車の回転中心と第１のアンクルの回転中心との間の距離は、第２のがんぎ車の回転中心と第２のアンクルの回転中心との間の距離と実質的に等しく、第１のアンクルの回転中心と、第１の調整装置の回転中心との間の距離は、第２のアンクルの回転中心と、第２の調整装置の回転中心との間の距離と実質的に等しいことが有利である。
【００１７】
本発明による方法の有利な実施形態においては、時計ムーブメントにおいて調整装置及び脱進機のみが変更される。
【発明を実施するための最良の形態】
【００１８】
本発明の他の特性及び利点は、添付の図面を参照して与えられる以下の詳細な説明を読むことにより明らかになるであろう。
本発明の構成においては、「歯」は、作動する、すなわち、スイス式アンクル（レバー）脱進機の場合にはアンクルパレットと協働する、がんぎ車の歯を意味する。
【００１９】
図１を参照すると、従来の時計ムーブメント１は、特に、香箱２内に収容された動力ばね（図示せず）と、香箱２により駆動される輪列３と、ばねてんぷ型調整装置４（てんぷのみを示す）と、輪列３とばねてんぷ４との間の脱進機５とを含む。脱進機５は、がんぎ車６と、車６に固定的に連結され、車６を駆動するように輪列３の秒車８と係合された脱進ピニオン７とを含む。脱進機５は、さらに、がんぎ車６及びばねてんぷ４の軸と固定的に連結されたローラピン１０と協働して、ばねてんぷ４の振動を維持するようにする、アンクルのような要素９を含む。輪列３の特定の車のそれぞれの軸、すなわち秒車８と、分車と、時車（図示せず）とは、指示要素、典型的には、秒、分、及び時を示すための、時計の文字盤上で移動する針を保持するようになっている。すべてのこれらの要素は当業者に周知であり、したがって、さらに詳細には説明しない。
【００２０】
ばねてんぷの振動周波数を増加させるための既知の方法は、ひげぜんまいの剛性を増加させる及び／又はてんぷの慣性モーメントを減少させることにある。ひげぜんまいの剛性は、例えば、これを短くすることにより又はこの断面を増加させることにより、増加させることができる。慣性モーメントの減少は、例えば、てんぷを軽くすることにより及び／又はその回転半径を減少させることにより実現される。
【００２１】
本発明においては、ばねてんぷの周波数の増加は、がんぎ車の歯の数における増加によって行われる。現行の製造技術により、多数の歯を有する車を実現することができる。図２は、本発明の第１の実施形態による脱進機の部分を構成するがんぎ車１１と脱進アンクル１２とを示す。がんぎ車１１は５０個の歯を有し、これを含む脱進機は、１０Ｈｚの周波数（１時間当たり７２，０００の交代）で振動するばねてんぷと共に動作するようになっている。図３は、本発明の第２の実施形態による脱進機の部分を構成するがんぎ車１３と脱進アンクル１４とを示す。がんぎ車１３は４０個の歯を有し、これを含む脱進機は、８Ｈｚの周波数（１時間当たり５７，６００の交代）で振動するばねてんぷと共に動作するようになっている。同様な方法で、さらに、例えば、３０個の歯を有し、６Ｈｚの周波数（１時間当たり４３，２００の交代）で振動するばねてんぷ、又は、２５個の歯を有し、５Ｈｚの周波数（１時間当たり３６，０００交番）で振動するばねてんぷと共に動作するようになっている脱進機を実現することもできる。
【００２２】
同じアンクルをこれらのがんぎ車の幾つかと共に用いることができるように、これらのがんぎ車の歯を成形することが可能である。したがって、図２及び図３に示すアンクル１２及び１４を同一のものにしても、異なるがんぎ車と協働させることができる。
【００２３】
上述の例においては、がんぎ車の歯の数とばねてんぷの周波数との間の比は５に等しく、これは、現行のムーブメントにおいて通常見出される値であることがわかる。したがって、がんぎ車の回転角速度は共通のムーブメントにおいて同じである。すなわち、上述の脱進機の１つ及び対応するばねてんぷを含むムーブメントは、例えば、図１に示す輪列３のような通常の輪列を有することができるということである。
【００２４】
脱進機の中心の距離、すなわち、がんぎ車の回転中心とアンクルの回転中心との間の距離、及び、アンクルの回転中心とてんぷの回転中心との間の距離は、１つの脱進機から別の脱進機に保持され、従来の値を有することが好ましい。すなわち、具体的には、がんぎ車１１とアンクル１２との間の中心距離ｄ３は、がんぎ車１３とアンクル１４との間の中心距離ｄ５に等しく、且つ、従来のがんぎ車６と従来のアンクル９との間の中心距離ｄ１と等しい。同様に、アンクル１２と対応するてんぷとの間の中心距離ｄ４は、アンクル１４と対応するてんぷとの間の中心距離ｄ６に等しく、且つ従来のアンクル９と従来のてんぷ４との間の中心距離ｄ２と等しい。１つの脱進機から別の脱進機までの中心距離を保持することにより、所与のムーブメントにおける脱進機と調整装置の組の互換性を助長し、上述のもののようなそれぞれの脱進機と、対応するばねてんぷとを含むムーブメントが、同一のプレート及びブリッジを有することができる。
【００２５】
より一般的には、脱進機及びばねてんぷ以外が完全に同一で、異なる周波数の振動により調整されるムーブメントを実現することが可能である。脱進機及びばねてんぷ以外のムーブメントの全体部分が１つのムーブメントから別のムーブメントで変化しないという事実は、開発、製造、及び物流費用を著しく減少させる。例えば、既存のムーブメントを取り上げ、脱進機及びばねてんぷのみを変更して、その調整周波数を増加させることが可能である。
【００２６】
図示例においては、本発明による脱進機は、スイス式アンクル脱進機である。しかし、本発明は、他の種類のアンクル脱進機、より一般的には、他の種類の脱進機にも適用することができる。
【図面の簡単な説明】
【００２７】
【図１】従来の時計ムーブメントの部品の概略平面図である。
【図２】互いに協働する、本発明の第１の実施形態によるがんぎ車及び脱進アンクルの斜視図である。
【図３】互いに協働する、本発明の第２の実施形態によるがんぎ車及び脱進アンクルの斜視図である。
【符号の説明】
【００２８】
１：時計ムーブメント
３：輪列
４：調整装置
５：脱進機
６，１１：がんぎ車
【図１】
0005566030.tif 000002
【図２】
0005566030.tif 000003
【図３】
0005566030.tif 000004